(57)【要約】【課題】本発明は音響機器に使用される電気音響変換器および電子機器に関するものであり、電気音響変換器の信頼性や品質の向上化が課題であった。【解決手段】本発明は、ターミナル３０のストッパー２９ａをプロテクタ２９の終端部の少なくとも一部を延長してターミナル３０の折り曲げ範囲を制御可能に構成することにより、ストッパー２９ａは衝撃力に対して略直角形状に力を受けるため、強い衝撃耐性を有し、外力からストッパー２９ａを強化し、ターミナルの金属端子のバネ圧の可逆限界値を超えてしまうことなく、常時、強いバネ圧を維持することができる構成としたものである。【選択図】図１
2006020012.tif 000002
【特許請求の範囲】
【請求項１】
磁気回路に結合されたフレームと、このフレームの外周部に結合された振動板と、この振動板に結合されるとともに、その一部が前記磁気回路の磁気ギャップに配置されたボイスコイルと、このボイスコイルのリード線を結線した導電性を有する一枚のシート状の金属板を折り曲げ加工して、この金属板のバネ圧を利用して給電部と接触させるターミナルと、前記振動板の前面を覆うように前記フレームに結合されたプロテクタから構成された電気音響変換器であって、前記ターミナルの折り曲げが金属材料の可逆限界値を超えない範囲で折り曲げ範囲を制御可能なように前記プロテクタの終端部の少なくとも一部を延長して前記ターミナルのストッパーを形成した電気音響変換器。
【請求項２】
プロテクタは、高分子材料により構成した請求項１記載の電気音響変換器。
【請求項３】
プロテクタは、金属材料により構成した請求項１記載の電気音響変換器。
【請求項４】
プロテクタの終端部には、絶縁体を設けた請求項３記載の電気音響変換器。
【請求項５】
プロテクタは、補強リブを設けた請求項１から請求項４のいずれか１つに記載の電気音響変換器。
【請求項６】
請求項１から請求項５のいずれか１つに記載の電気音響変換器を搭載した電子機器。
【発明の詳細な説明】
【技術分野】
【０００１】
本発明は各種音響機器や情報通信機器に使用される電気音響変換器および携帯電話やゲーム機器等の電子機器に関するものである。
【背景技術】
【０００２】
従来の技術を図７から図１１により説明する。図７から図９は従来の電気音響変換器の断面図であり、携帯電話等の電子機器に搭載されるスピーカやレシーバとして用いられているものである。図１０から図１１はこの電気音響変換器を携帯電話等の電子機器に搭載した状態の断面図である。
【０００３】
図７に示すように、着磁されたマグネット１を上部プレート２およびヨーク３により挟み込んで内磁型の磁気回路４を構成している。この磁気回路４のヨーク３を接触させながらターミナル１０の一部をモールドした樹脂フレーム６に磁気回路４を圧入し、接着により結合している。
【０００４】
そして、このフレーム６の周縁部に振動板７を接着し、この振動板７にこれを駆動させるためのボイスコイル８を結合し、このボイスコイル８を磁気ギャップ５にはまり込むように結合している。その後、このボイスコイル８のリード線をターミナル１０の一方の端部に半田付けして結合している。最後に、このターミナル１０の略中央部を２つ折りに折り曲げることにより、フレーム６の外形寸法よりターミナル１０が外部にはみ出さないようにして、もう一方の端部をシステム側への給電端子として構成している。
【０００５】
ここで、このターミナル１０は導電性を有する一枚のシート状の金属板を折り曲げ加工して、この金属板のバネ圧を利用して給電部と接触させる構成としている。そして、この金属板の折り曲げが金属材料の可逆限界値を超えない範囲で、ターミナル１０のシート状の金属板の最終端を内側に折り曲げ加工してストッパー９を構成することで、その折り曲げ範囲を制御している。
【０００６】
図８および図９は図７に示すターミナル１０の状態を示した断面図であり、図７に示すターミナル１０の状態が上死点であると仮定すると、図８はターミナル１０が下死点に達した状態である。図９は図８のターミナル１０が下死点に達した状態から、さらに過大な力が加わり、ストッパー９が変形して潰れた状態である。
【０００７】
図１０から図１１については上述の電気音響変換器を携帯電話等の電子機器に搭載した状態の断面図であり、図１０はターミナル１０がある程度曲げられて、セット側の給電部に適正なバネ圧がかかった状態を示した状態である。図１１は携帯電話の落下衝撃等の外的要因により、ターミナル１０がセット側の給電部に押されて変形し、下死点に達した後に、さらに過大な力が加わり、ストッパー９が変形して潰れた状態である。この場合、ストッパー９は、金属材料の可逆限界値を超えて変形しており、一度衝撃を受けると、加圧力がなくなっても元の状態に戻ることはない。
【０００８】
尚、この出願の発明に関する先行技術文献情報としては、例えば、特許文献１が知られている。
【特許文献１】特開２００３−３７８９０号公報
【発明の開示】
【発明が解決しようとする課題】
【０００９】
上述の電気音響変換器は、そのセットである携帯電話等の電子機器の信頼性の向上が市場より強く要請されている。よって、これら電子機器の信頼性の向上には、電子機器に搭載される電気音響変換器の信頼性の向上が必要不可欠である。
【００１０】
以上の背景をもとに、従来の課題について説明する。従来のこの種の電気音響変換器であるスピーカやレシーバは、そのターミナル１０の金属端子のバネ圧を発生させてシステム側の給電部と接触により結合させている。
【００１１】
しかしながら、これらのスピーカをセットに取り付ける時に、スピーカの押さえ込み寸法を大きく設定すると、ターミナル１０のストッパー９を変形させてしまい、ターミナル１０の金属端子のバネ圧の可逆限界値を超えてしまうことがある。
【００１２】
さらに、これらの携帯電話等の電子機器を誤って落下させてしまうと、過大な衝撃力によりターミナル１０のストッパー９が潰れてしまい、ターミナル１０の金属端子のバネ圧の可逆限界値を超えてしまうことがある。これは、ストッパー９も同質の金属端子で構成されているためバネ圧を有しているが、このストッパー９もバネ圧の可逆限界値を超えてしまうことにより、永久変形を来すためである。
【００１３】
このようになると、ターミナル１０およびストッパー９のバネ圧が減少してしまうことから、セット給電部との接触結合が不安定になり、セットに衝撃がかかったり、振動した時に接触不良を発生し、信号がとぎれてしまうという問題を抱えるものであった。
【００１４】
上述の課題は、ターミナル１０にストッパー９を形成したタイプのみならず、樹脂フレームの射出成形時において、樹脂によりストッパーを一体化成形したタイプのものにおいても発生する課題であった。このタイプのものは、衝撃により樹脂ストッパーが破壊され、ターミナルの金属端子のバネ圧の可逆限界値を超えてしまうことにより発生する。
【００１５】
以上の理由から、今後はセットに衝撃がかかったり、振動してもスピーカの信号がとぎれてしまうことのないようにターミナル１０のバネ圧が減少しない構成にすることが課題であった。
【００１６】
本発明は、上記課題を解決するもので、ターミナルのバネ圧の減少を防止して、スピーカへの安定した信号供給を実現できる優れた電気音響変換器およびそれを用いた電子機器を提供するものである。
【課題を解決するための手段】
【００１７】
上記目的を達成するために本発明は、ターミナルの折り曲げが金属材料の可逆限界値を超えない範囲にとどまるようにストッパーの強化を図ったものである。すなわち、ターミナルのストッパーを、ターミナルであるシート状の金属板を折り曲げ加工して形成したり、樹脂により形成したりという加圧変形や衝撃力に対して弱い材料から形成するのではなく、衝撃力に対して強い材料で衝撃力に対して強い形状に形成する構成としている。
【００１８】
このストッパーは、プロテクタの終端部の少なくとも一部を延長してストッパーとして形成するとともに、このストッパーを高さ調整してターミナルの折り曲げ範囲を制御する構成としている。この構成により、ストッパーは、加圧変形や衝撃力に対して略直角形状に力を受けるため、変形に対して強い抗力を有し、強い衝撃耐性を有する。よって、ターミナルの変形に対して、ストッパー自体の変形や破壊を発生することなくその機能を果たすことができる。
【００１９】
このため、スピーカを携帯電話等の電子機器に取り付ける時に、スピーカの押さえ込み寸法を大きく設定したり、携帯電話等の電子機器を誤って落下させ、ターミナルに過大な衝撃力が加わっても、ストッパーが変形したり、潰れてしまうことがなく、ターミナルとしての金属端子のバネ圧の可逆限界値を超えてしまうことがなくなり、ターミナルのバネ圧が減少してしまうことがない。
【００２０】
このため、ターミナルは常時、強いバネ圧を維持することができ、セット給電部との接触結合が安定化し、セットに衝撃がかかったり、振動した時でも、接触不良を発生することがないため、信号がとぎれることなく安定化する。従って、携帯電話等の電子機器の信頼性の向上を図ることができる。
【００２１】
尚、上述したプロテクタについては、この種の電気音響変換器によく使用されているもので、携帯電話等の電子機器に使用される電気音響変換器の外的衝撃等からの振動部品の保護等のために設けられる部品である。
【発明の効果】
【００２２】
以上のように本発明は、ターミナルのストッパーを、プロテクタの終端部の少なくとも一部を延長して形成することにより、ターミナルの折り曲げ範囲を制御している。この構成により、ストッパーは、加圧変形や衝撃力に対して略直角形状に力を受けるため、変形に対して強い抗力を有し、強い衝撃耐性を有する。よって、ターミナルの変形に対して、ストッパー自体の変形や破壊を発生することなくその機能を果たすことができるため、ターミナルの金属端子のバネ圧の可逆限界値を超えてしまうことがなくなり、ターミナルは常時、強いバネ圧を維持することができ、電子機器の給電部との接触結合が安定化し、電子機器に衝撃がかかったり、振動した時でも、接触不良を発生することがないため、信号がとぎれることなく安定化する。従って、携帯電話等の電子機器の信頼性や品質の向上を図ることができる。
【００２３】
さらに、プロテクタに、その役目を代用させて構成しているため、別体としての部品を追加する必要もなく、部品点数の削減も図ることができ、これによりコストの低減化も実現することができる。
【発明を実施するための最良の形態】
【００２４】
以下、本発明の実施の形態について図面を用いて説明する。
【００２５】
（実施の形態１）
以下、実施の形態１を用いて、本発明の特に請求項１から請求項３および請求項５に記載の発明について説明する。図１から図３は本発明の一実施形態の電気音響変換器であるスピーカを示したものであり、その外形が長方形タイプのスリムスピーカに適用した例について示している。
【００２６】
図１は本発明の一実施形態の電気音響変換器の断面図であり、図２は図１におけるターミナルがストッパーの保護により下死点に達した状態の断面図である。図３は図１におけるスピーカの斜視図である。
【００２７】
図１から図３に示すように、着磁されたマグネット２１を上部プレート２２およびヨーク２３により挟み込んで内磁型の磁気回路２４を構成している。この磁気回路２４のヨーク２３を接触させながらターミナル３０の一部をモールドした樹脂フレーム２６に磁気回路２４を圧入し、接着により結合している。
【００２８】
そして、このフレーム２６の周縁部に振動板２７を接着し、この振動板２７にこれを駆動させるためのボイスコイル２８を結合し、このボイスコイル２８を磁気ギャップ２５にはまり込むように結合している。一方、振動板２７の前面を覆うようにフレーム２６にプロテクタ２９を結合している。
【００２９】
そして、このボイスコイル２８のリード線をターミナル３０の一方の端部に半田付けして結合している。最後に、このターミナル３０の略中央部を２つ折りに折り曲げることにより、フレーム２６の外形寸法よりターミナル３０が外部にはみ出さないようにして、もう一方の端部をシステム側への給電端子として構成している。
【００３０】
ここで、このプロテクタ２９は、ターミナル３０の金属板の折り曲げが金属材料の可逆限界値を超えない範囲で、そのストッパー２９ａとしての役目を代用するため、プロテクタ２９の終端部の一部を延長して形成するとともに、このストッパー２９ａを高さ調整してターミナル３０の折り曲げ範囲を制御している。
【００３１】
このプロテクタ２９の形状は、振動板２６を覆うような形状に形成されており、このプロテクタ２９により、本来の目的である、携帯電話等の電子機器に当スピーカを取り付けた時に、外的衝撃からの電気音響変換器の振動部品等の保護が実現できる。さらに、このプロテクタ２９のストッパー２９ａの高さを、ターミナル３０の折り曲げ範囲の制御を行うためのストッパーとして調整することにより、ターミナル３０の保護が実現できる。よって、本来の目的と、ターミナル３０のストッパー２９ａとしての両方の作用効果を発揮することができ、その価値は高い。
【００３２】
特に、このストッパー２９ａとしての作用効果は、プロテクタ２９の終端部の一部を延長して形成されているため、携帯電話等の電子機器の給電部である電子回路からの外的衝撃力に対して、略直角形状に力を受けるため、その衝撃耐性は向上する。従って、本来の目的との共用化が図れることで、部品点数の削減も実施でき、これによりコストの低減化も実現することができる。
【００３３】
尚、当実施の形態は、内磁型の磁気回路２４について説明したが、これに限定されることなく、外磁型の磁気回路を有する電気音響変換器に適用しても良い。
【００３４】
このプロテクタ２９の材料としては、高分子材料から形成されていることが望ましい。この理由としては、落下衝撃等による過大な力を吸収し、スピーカを保護するとともに、大きな復元力を有することで、多数回の落下衝撃等に耐えられるためである。
【００３５】
この構成により、スピーカの携帯電話等の電子機器への取り付け時には、ターミナル３０がある程度曲げられて、携帯電話等の電子機器側の給電部である電子回路に適正なバネ圧がかかった状態で維持される。そして、スピーカを強く押さえつけて取り付けを実施しても、ストッパー２９ａが当たり、ターミナル３０はそれ以上動かなくなる。また、携帯電話等の電子機器を誤って落下させ、ターミナル３０に過大な衝撃力が加わっても、ストッパー２９ａの効果により、金属材料の可逆限界値を超える変形を発生したり、潰れてしまうことがなくなる。
【００３６】
よって、ターミナル３０の金属端子のバネ圧の可逆限界値を超えてしまうことがなくなり、ターミナル３０のバネ圧が減少してしまうことがなく、ターミナル３０は常時、強いバネ圧を維持することができ、電子機器の給電部との接触結合が安定化し、電子機器に衝撃がかかったり、振動した時でも、接触不良を発生することがないため、信号が途切れることなく安定化する。
【００３７】
また、別の実施形態として、プロテクタ２９の材料としては、金属材料により形成されていることが望ましい。この理由としては、落下衝撃等による過大な力が加わっても、折れたり破損したりしてしまうことなく、多数回の落下衝撃等に耐えられ、かつ、耐熱衝撃や耐薬品性等の環境耐性に優れているためである。
【００３８】
さらに、このプロテクタ２９のストッパー２９ａには、補強リブ２９ｂが設けられていることが望ましい。この理由としては、落下衝撃等による過大な力が加わっても、補強リブ２９ｂによる効果で、衝撃耐性がさらに向上し、ターミナル３０の金属端子のバネ圧の可逆限界値を超えてしまうことがなく、ターミナル３０を確実に保護することができるためである。以上の理由より、携帯電話等の電子機器の信頼性の向上を図ることができる。
【００３９】
（実施の形態２）
以下、実施の形態２を用いて、本発明の特に請求項４に記載の発明について説明する。図４は本発明の一実施形態のスピーカの断面図を示したものである。実施の形態１との違いについてのみ説明する。
【００４０】
図４に示すように、プロテクタ２９のストッパー２９ａには、絶縁体２９ｃが形成されている。この構成により、金属材料からなるプロテクタ２９のストッパー２９ａが衝撃力により、電子機器の給電部である電子回路と接触しても、ショートすることがなく、安全性をさらに向上させることができる。従って、携帯電話等の電子機器の信頼性と安全性のさらなる向上を図ることができる。
【００４１】
（実施の形態３）
以下、実施の形態３を用いて、本発明の特に請求項６に記載の発明について説明する。図５および図６は本発明の一実施形態の電子機器である携帯電話の要部断面図を示したものである。図５および図６に示すように、請求項１から請求項５のいずれか１つに記載のスピーカ３５を搭載して携帯電話８０を構成している。
【００４２】
図５に示すように、この携帯電話８０の構成としては、スピーカ３５と電子回路４０と液晶等の表示モジュール６０等の各部品やモジュール等を外装ケース７０の内部に搭載して携帯電話８０の要部を構成している。そして、スピーカ３５のターミナル３０と電子回路４０とをバネ圧をかけながら接触給電させてスピーカ３５を動作させている。
【００４３】
この構成とすることにより、図６に示すようなスピーカ３５を携帯電話８０に取り付ける時に、スピーカ３５の押さえ込み寸法を大きく設定したり、携帯電話８０を誤って落下させ、ターミナル３０に過大な衝撃力が加わっても、ストッパー２９ａの効果によりターミナル３０が永久変形したり、潰れてしまうことがなくなる。よって、ターミナル３０の金属端子のバネ圧の可逆限界値を超えてしまうことがなくなり、ターミナル３０のバネ圧が減少してしまうことがない。
【００４４】
このため、ターミナル３０は常時、強いバネ圧を維持することができ、携帯電話８０の電子回路４０の給電部との接触結合が安定化し、携帯電話８０に衝撃がかかったり、振動した時でも、接触不良を発生することがないため、信号がとぎれることなく安定化させることができる。よって、携帯電話等の電子機器の信頼性や品質の向上を図ることができる。
【産業上の利用可能性】
【００４５】
本発明にかかる電気音響変換器および電子機器は、信頼性や品質の向上化が必要な映像音響機器や情報通信機器、ゲーム機器等の電子機器に適用できる。
【図面の簡単な説明】
【００４６】
【図１】本発明の一実施の形態におけるスピーカの断面図
【図２】本発明の一実施の形態におけるスピーカの断面図
【図３】本発明の一実施の形態におけるスピーカの断面図
【図４】本発明の一実施の形態におけるスピーカの断面図
【図５】本発明の一実施の形態における電子機器の要部断面図
【図６】本発明の一実施の形態における電子機器の要部断面図
【図７】従来のスピーカの断面図
【図８】従来のスピーカの断面図
【図９】従来のスピーカの断面図
【図１０】従来の電子機器の要部断面図
【図１１】従来の電子機器の要部断面図
【符号の説明】
【００４７】
２１  マグネット
２２  上部プレート
２３  ヨーク
２４  磁気回路
２５  磁気ギャップ
２６  フレーム
２７  振動板
２８  ボイスコイル
２９  プロテクタ
２９ａ  ストッパー
２９ｂ  補強リブ
２９ｃ  絶縁体
３０  ターミナル
３５  スピーカ
４０  電子回路
６０  表示モジュール
７０  外装ケース
８０  携帯電話
【図１】
2006020012.tif 000003
【図２】
2006020012.tif 000004
【図３】
2006020012.tif 000005
【図４】
2006020012.tif 000006
【図５】
2006020012.tif 000007
【図６】
2006020012.tif 000008
【図７】
2006020012.tif 000009
【図８】
2006020012.tif 000010
【図９】
2006020012.tif 000011
【図１０】
2006020012.tif 000012
【図１１】
2006020012.tif 000013